(57)【要約】【課題】  任意の開き角度で左右（横）に隣接する表示ユニット間を接続可能な接続具を提供すること、及び左右に隣接する表示ユニットを接続してつなぎ目の目立たない湾曲した映像表示画面を安定構成すること。【解決手段】  接続具６は、表示ユニット１を、複数台、左右に接続するために、回動方向に半径Ｒの円周に沿う弧状の第１の貫通孔６１ａを有する第１のこま６１と、この第１のこま６１の前記第１の貫通孔６１ａに対応する形状の第２の貫通孔６２ａを有する。  接続具６は、第１のこま６１と第２のこま６２との組み合わせにより、貫通孔６１ａ，６２ａは連通するが、その連通した貫通孔６１ａ，６２ａに、軸部材６３が挿入されて形成される。  この接続具６を介して、左右に隣接する表示ユニット１，１を接続することで、つなぎ目が目立たない状態で、任意の開き角度φを有して湾曲する安定した映像画面を構成した映像表示装置を提供できる。【選択図】      図１
2006106046.tif 000002
【特許請求の範囲】
【請求項１】
回動方向に半径Ｒの円周に沿う弧状の第１の貫通孔を有する第１のこまと、
この第１のこまの前記第１の貫通孔に対応する形状の第２の貫通孔を有して、前記第１のこまとは前記弧状の形状に沿って組み合わされる第２のこまと、  
この第２のこまと前記第１のこまとの組み合わせにより連通した前記貫通孔に共通して遊挿され、第１と第２のこまが前記半径Ｒの円周に沿って相対的に回動するように拘束する軸部材と
を具備することを特徴とする接続具。
【請求項２】
前記軸部材は、少なくとも２本の軸ピンが前記弧に沿い並列するように構成されたことを特徴とする請求項１に記載の接続具。
【請求項３】
前記第１のこまと前記第２のこまとの前記弧状の形状に沿った組み合わせ角度位置で、前記第１のこまと前記第２のこまとを連結固定可能なロック機構を付加したことを特徴とする請求項１または請求項２に記載の接続具。
【請求項４】
多数の表示素子を配列して表示面を形成した表示ユニットを、少なくとも接続部材を介して左右方向に接続構成された映像表示装置において、
前記接続部材に、請求項１ないし請求項３のうちのいずれか１項に記載の接続具を用いたことを特徴とする映像表示装置。
【請求項５】
前記接続具は、水平方向に前記半径Ｒの円を描いたとき、その半径Ｒの円の中心を通る鉛直線が、前記表示面の延長面の交差位置に略一致するように左右の隣接する前記表示ユニットに差し渡して取り付けられたことを特徴とする請求項４に記載の映像表示装置。
【請求項６】
前記表示ユニットが上下方向に連結具を介して連結され、
前記連結具は、
下方の表示ユニットの上面から突出して設けられ、軸回りに溝を形成した係合ピンと、  
上方の表示ユニットの下部に設けられ、前記溝に嵌合可能な板厚を有して、前記係合ピンの挿入に際し、水平方向に移動しつつ前記係合ピンを貫通させる係止孔を備えた係止片と、
同じく上方の表示ユニットに設けられ、前記係止片の前記水平方向への移動を抑制するように付勢するばね部材と
を具備することを特徴とする請求項４または請求項５に記載の映像表示装置。
【請求項７】
前記ばね部材のばね圧に抗して、前記係止片を水平方向に押し込み可能に構成されたカム機構を有することを特徴とする請求項６に記載の映像表示装置。
【請求項８】
前記カム機構は、前記ばね部材のばね圧に抗して水平方向に押し込んだとき、カムの突端が係止片の先端部に形成された凹部に嵌り込むように構成されたことを特徴とする請求項７に記載の映像表示装置。
【請求項９】
前記表示素子に発光ダイオード（ＬＥＤ）を用いたことを特徴とする請求項４ないし請求項８のうちのいずれか１項に記載の映像表示装置。
【発明の詳細な説明】
【技術分野】
【０００１】
本発明は、左右に隣接した２つのユニットを接続する接続具、及びその接続具を用いて表示ユニットを左右に接続して構成される映像表示装置の改良に関する。
【背景技術】
【０００２】
しばしば目にするように、屋内外の競技場や各種イベント会場、あるいは繁華街等に面した建物の外壁面（ビルボード）等には、表示素子にＲ（赤色）Ｇ（緑色）Ｂ（青色）のＬＥＤ（発光ダイオード）を使用した映像表示装置が据え付けられている。
【０００３】
映像表示装置の多くは、表示面が矩形状に形成された箱体状の表示ユニットを、上下左右に複数台連結接続して大型の平面ディスプレイを形成するように構成されている。
【０００４】
この種の映像表示装置は、恒久的に設置されることもあるが、イベント会場内においてその都度組み立てられて設置されることも多い。
【０００５】
表示ユニット１自体は、図１８に示したように、複数個（図１８では３×４の１２個）の表示パネル１１を箱体状の筐体１２の前面に取り付けられて構成され、各表示パネル１１にはＬＥＤからなる多数の表示素子１１ａがマトリクス状に配列されている。（例えば、特許文献１参照）。
【０００６】
表示ユニット１は、筐体１２の上面中央にＴ字状の連結ピン１２１を、また筐体１２上面の左右端部にはガイドピン１２２，１２２を植立していて、図１９の背面図を示したように、表示ユニット１の連結ピン１２１が上方の相手側表示ユニット１の下部に設けられた係止部１２３と係合されて連結される。なお、図１８及び図１９において、符号１２４及び１２５は、作業員が表示ユニット１を持ち運ぶための把手及び取っ手（凹部）をそれぞれ示している。
【０００７】
左右に隣接する表示ユニット１，１の各対向する側壁面間には、上下に、接続具２，２が渡着されるように取り付けられている。
【０００８】
接続具２は、フック部２１と係止部２２とでフック継手を構成し、図１９に示したように、六角レンチ３を用いたフック部２１の回動操作により、左右に隣接して密着した表示ユニット１，１は接続される。
【０００９】
図２０（ａ）は、多数台の表示ユニット１，１を上下左右に連結接続して、大型表示画面を形成した映像表示装置の一部正面図で、図２０（ｂ）はその平面図である。
【００１０】
接続具２，２を介して左右に接続された各表示ユニット１，１の表示面は、図２０（ｂ）に示したように、１８０度の直線上に揃い、観客側に向けて、継ぎ目の目立たないフラットな大型の表示画面を形成する。
【特許文献１】特開２００３−３４５２６９号公報
【発明の開示】
【発明が解決しようとする課題】
【００１１】
上記のように、映像表示装置は、上下左右に表示ユニット１，１を多数連結接続してフラットな大型表示画面を形成するように構成されている。
【００１２】
従来の映像表示装置は、左右方向に表示ユニット１，１が面接合するように密着して、フラットな表示画面を形成したから、表示画面が左右方向に長ければ長いほど、正面に位置した観客から左右両端部までの視距離は長くなり、左右両端部の画面は横方向に圧縮されて見えることになる。
【００１３】
左右両端側で圧縮されない映像を形成するには、１観客から表示画面までの距離が等距離となるように、表示面が観客を中心とした半径Ｒの円周上に位置するように湾曲させる必要がある。
【００１４】
映像表示の目的やコンテンツ（内容）によっては、表示面全体を単に１つの円周上に沿うように湾曲変形させるのではなく、たとえば図２１に示したように、表示面全体を半径Ｒの値も変化させつつ前後方向に波状に任意に変形させることで、より高度な映像表示効果を得たいとする場合もある。
【００１５】
しかしながら、従来の映像表示装置では、左右に隣接する箱体状の表示ユニットは側壁面側において面接触させ、フック継手により接続して、１８０度のフラットな画面を形成するように構成されていたから、表示面全体として湾曲変形させるために、少なくとも一部の左右に隣接する表示ユニット間を１８０度以外の任意の開き角度で配置した場合は、表示ユニット間の間隔が変化してしまうので、従来のフック継手による接続は困難となり、左右方向に安定接続できないという問題があった。
【００１６】
そこで、本発明は、表示ユニット等の被接続部材を左右（横）方向に隣接させて接続するとき、被接続部材が１８０度の直線状の配置は勿論のこと、１８０度以外の任意の角度の開き角度でも被接続部材を適切に接続可能な接続具、及びその接続具を用いて、１８０度のフラットな表示画面はもとより、１８０度以外の任意の開き角度での接続にも対応し得て、機械構造的に安定した表示画面を形成し得る映像表示装置を提供することを目的とする。
【課題を解決するための手段】
【００１７】
請求項１に記載の発明に係る接続具は、回動方向に半径Ｒの円周に沿う弧状の第１の貫通孔を有する第１のこまと、この第１のこまの前記第１の貫通孔に対応する形状の第２の貫通孔を有して、前記第１のこまとは前記弧状の形状に沿って組み合わされる第２のこまと、この第２のこまと前記第１のこまとの組み合わせにより連通した前記貫通孔に共通して遊挿され、第１と第２のこまが前記半径Ｒの円周に沿って相対的に回動するように拘束する軸部材とを具備することを特徴とする。
【００１８】
請求項４に記載の発明は、多数の表示素子を配列して表示面を形成した表示ユニットを、少なくとも接続部材を介して左右方向に接続構成された映像表示装置において、前記接続部材に、請求項１に記載の接続具を用いたことを特徴とする。
【発明の効果】
【００１９】
本発明の接続具によれば、第１及び第２のこまは、軸部材に拘束されつつ半径Ｒの円周に沿い相対的に回動するので、第１のこまと第２のこまとの連結によって接続される２つの被接続部材は、前記回動方向に交差する方向、すなわち前後方向や上下あるいは左右方向へのずれを抑制して、任意の開き角度（すなわち回動角度）で安定接続できる。
【００２０】
本発明の映像表示装置によれば、隣接する表示ユニットの左右方向の接続部材に、本発明に係る上記接続具を用いたので、左右（横）方向に隣接する２つの表示ユニットを、任意の開き角度位置で安定接続できる。
【発明を実施するための最良の形態】
【００２１】
以下、本発明による接続具を用いた映像表示装置の一実施例を図１ないし図１７を参照して詳細に説明する。なお、図１８ないし図２０に示した従来の構成と同一構成には同一符号を付して、詳細な説明は省略する。
【００２２】
図１は本発明に係る映像表示装置の第１の実施例を示した一部分解要部斜視図、図２は図１に示した映像表示装置を背後から見た要部斜視図である。
【００２３】
図１に示したように、映像表示装置は、複数台の表示ユニット１，１が上下（縦）には連結具５によって連結され、また左右（横）には接続具６で接続されるが、左右方向へは、たとえば図示のように隣接する間で１８０度より狭い開き角度φをなすように配置され、観客方向に向けて表示画面が凹状に湾曲するように構成されている。
【００２４】
図１及び図２に示したように、この実施例の表示ユニット１は、４脚を有して櫓（やぐら）状に構成された筐体１３の前面に、支持パネル１４を介して、１２個（＝３×４）の表示パネル１１が配列されて組み立てられている。
【００２５】
表示パネル１１には、ＬＥＤからなる表示素子１１ａがマトリクス状に多数配置され、これら表示素子１１ａを駆動制御する制御部等は、図２に示したドーム状のカバー１５内に収納され据え付けられている。
【００２６】
そこで、表示ユニット１，１を上下に連結する連結具５は、筐体１３の上枠１３１に突設された連結ピン５１と、相手方筐体１３の下枠１３２に取り付られた係止部との組み合わせ構成からなり、一般には、上方の表示ユニット１を下降させ、その係止部の連結ピン５１への嵌め込みで上下表示ユニット１，１は連結される。
【００２７】
一方、表示ユニット１，１を左右に接続する接続具６は、図２に示したように、一方の表示ユニット１の筐体１３の左右の側枠１３３，１３３と、不図示の相手方表示ユニット１の筐体１３の同じく側枠１３３間に渡着されるように構成されている。
【００２８】
図３は、接続具６の拡大斜視図で、図４はその接続具６の分解斜視図である。
【００２９】
図３及び図４に示したように、接続具６は、並列に対峙した第１及び第２のこま６１，６２が、２本の軸ピン６３１，６３２と止めワッシャ６３３，６３３とからなる軸部材６３によって連結されて構成されている。
【００３０】
すなわち、第１のこま６１は、取付板６１１と、この取付板６１１に間隔をなしつつ一端が垂直に当接して一体に固定された一対の同形からなる係合片６１２，６１３とで構成されている。そして各係合片６１２，６１３には、その長手方向に向けて弧状のスリットを形成するように長い貫通孔６１ａ，６１ａが同形に形成されている。
【００３１】
第２のこま６２も、取付板６２１と、この取付板６２１に一端が垂直に当接して一体化された１個の係合片６２２とからなり、この係合片６２２は、前記第１のこま６１の一対の係合片６１２，６１３間に自在に嵌り込み得るように構成されている。
【００３２】
そして、この第２のこま６２の係合片６２２にも、第１のこま６１の貫通孔６１ａと同形状の、同じく長手方向に弧状に長い貫通孔６２ａが形成されているので、一対の係合片６１２，６１３間に他方の係合片６２２が嵌り込んだとき、貫通孔６１ａ，６２ａが重なり合って連通する部分が形成される。
【００３３】
この重なり合って連通した貫通孔６１ａ，６２ａに、２本の軸ピン６３１，６３２からなる軸部材６３が嵌め込まれる。
【００３４】
軸ピン６３１，６３２の各軸径は、後述するようにスリット状の貫通孔６１ａ，６２ａの幅よりわずか小さく形成されているので、軸ピン６３１，６３２は連通する貫通孔６１ａ，６２ａに並列に遊挿されるとともに、連通する貫通孔６１ａ，６２ａ内にあってそれぞれ並行しつつ個別に弧方向にスライド自在に組み込まれる。
【００３５】
軸ピン６３１，６３２は、一端部に径大な頭部を有し、他端部には図４に示したように、周回形成された溝６３ａを有していて、その溝６３ａには止めワッシャ６３３，６３３が嵌め込まれる。この径大な頭部と止めワッシャ６３３，６３３との組み合わせ構成により、貫通孔６１ａ，６２ａに挿入された軸部材６３は、第１及び第２のこま６１，６２が弧状に沿って相対移動するように拘束する。
【００３６】
第１及び第２のこま６１，６２は、軸部材６３に拘束されつつ弧状の各貫通孔６１ａ，６２ａに沿い相対移動が可能であり、この実施例の映像表示装置では、第１及び第２のこま６１，６２の弧に沿った相対移動が、被接続部材である隣接接続された左右の表示ユニット１，１に対し、相対移動が表示面における開き角度に対応するように取り付けられる。
【００３７】
すなわち、軸部材６３によって連結された第１及び第２のこま６１，６２は、それぞれ取付穴６１ｂ，６２ｂを介して挿入されるボルト６４，６４によって、被接続部材である左右の各表示ユニット１，１の側枠１３３，１３３の背面間に差し渡されるように取り付け固定される。
【００３８】
接続具６の第１及び第２のこま６１，６２は、貫通孔６１ａ，６２ａにおける弧に沿って回動するように相対移動し、左右の各表示ユニット１，１はこの弧に沿って回動する第１及び第２のこま６１，６２によって接続されているから、隣接する表示ユニット１，１間の開き角度は、第１のこま６１と第２のこま６１，６２との間の角度位置関係に対応する。
【００３９】
そこで、相対的に回動する第１のこま６１と第２のこま６２との間の角度位置関係を図５ないし図８を参照して詳細説明する。
【００４０】
図５及び図６は、軸部材６３に連結され拘束されつつ相対的に回動する各係合片６１２，６１３，６２２の角度位置関係を説明した平面図である。
【００４１】
図５は、軸部材６３によって拘束されて連結された係合片６１２，６１３と係合片６２２との分解平面図で、図５（ａ）はその一方の係合片６１２，６１３の平面図、図５（ｂ）は他方の係合片６２２の平面図、図５（ｃ）は、図５（ａ）に示した係合片６１２，６１３と図５（ｂ）に示した係合片６２２とが連結されて重畳状態の平面図である。
【００４２】
図５（ｃ）に示した係合片６１２，６１３と係合片６２２との連結重畳状態では、貫通孔６１ａ，６２ａの形状に沿って各係合片６１２，６１３，６２２は回動するが、図６は、相対的に回動する各係合片６１２，６１３，６２２の軌跡を説明した平面図である。
【００４３】
図６に示すように、接続具６における貫通孔６１ａ，６２ａは、係合片６１２，６１３及び係合片６２２に共通して、幅ｄを有し、中心Ｐから半径Ｒの円周に沿う形状に形成されている。
【００４４】
連通した貫通孔６１ａ，６２ａに共通挿入される不図示の軸部材６３の軸ピン６３１，６３２は、上述のように、いずれもその軸の断面が貫通孔６１ａ，６２ａの幅ｄよりわずか小さい円形状をなしているので、第１及び第２のこま６１，６２は、軸部材６３に拘束されつつ、円滑に、がたつきが少ない状態で、半径Ｒの円周に沿って回動するように相対的に移動する。
【００４５】
第１及び第２のコマ６１，６２の相対的な回動において、第１及び第２のコマ６１，６２が互いに離れる方向に（すなわち回動角が開く方向に）相対移動したときには、図７に示したように、軸部材６３の２本の軸ピン６３１，６３２の頭部がぶつかり合った状態で、ストップ（停止）する。この図７に示した状態では、第１及び第２のコマ６１，６２は最大の開き角度θ１の角度差を有する。
【００４６】
図８は、第１のこま６１と第２のこま６２が、図７とは反対方向に（すなわち回動角が閉じる方向に）相対移動してストップ（停止）した状態を示し、このとき第２のコマ６２の係合片６２２は、第１のコマ６１の係合片６１２，６１３に対して、−θ２の角度差を有して停止する。
【００４７】
なお、図８に示した回動角度位置における第１のこま６１と第２のこま６２は、この実施例においては、第１のこま６１の係合片６１２，６１３が第２のコマ６２の取付板６２１面に，また第２のこま６２の係合片６２２が第１のコマ６１の取付板６１１面それぞれ衝突した状態となる。従って、図８に示した状態では、軸部材６３の２本の軸ピン６３１，６３２は、連通した各貫通孔６１ａ，６２ａ内で半径Ｒ方向への移動には余裕があり、半径Ｒ方向へ互いに個別にスライド移動可能である。
【００４８】
そこでこの実施例の映像表示装置において、左右に隣接した表示ユニット１，１間に差し渡されて取り付けられる接続具６は、第１のコマ６１と第２のコマ６２が、半径Ｒの円周に沿い中心Ｐにおける角度θ（＝θ１＋θ２）の範囲内を相対移動し、またその範囲内の任意の角度位置で位置決めできるとともに、半径Ｒの中心Ｐを通る鉛直線が、隣接する表示面の延長面の交差位置に略一致するように取り付けられる。
【００４９】
すなわち、図９ないし図１１は、いずれも、半径Ｒの中心Ｐを通る鉛直線が、隣接する表示面間の中間点ないしは隣接して接触した表示面の接触点を通るように、左右の表示ユニット１，１の背面間に接続具６が差し渡し接続された状態を示した要部拡大平面図である。
【００５０】
図９は、図７に示した角度位置で、接続具６が左右の表示ユニット１，１間に差し渡し接続された状態を示し、図１０は同じく図６に示した角度位置で、また図１１は図８に示した角度位置でそれぞれ左右の表示ユニット１，１間に接続具６が差し渡し接続された状態を示している。
【００５１】
すなわち、接続具６が左右に隣接する表示ユニット１，１を接続して映像表示装置を構成したとき、図９に示したように、第１のこま６１と第２のこま６２とが角度θ１の角度で開いた状態では、左右の表示画面間のなす角度は１８０度より狭いφ１の開き角度で（観客側に向けて）凹状に湾曲した画面を形成することができ、図１０に示した状態では、左右の表示画面間のなす角度が丁度１８０度の平板画面を形成し、図１１に示した状態では、左右の表示画面間のなす角度は１８０度より広いφ２の開き角度で凸状に湾曲した画面を形成する。
【００５２】
つまり、第１のこま６１と第２のこま６２は、半径Ｒの中心Ｐを通る鉛直線が、隣接する表示面の延長面の交差位置に略一致する状態で、しかも左右の表示ユニット１，１間の開き角度がφ（φ１からφ２）の範囲内の任意の角度位置で接続できるので、隣接する表示ユニット１，１間の開き角度がφ（φ１からφ２）の範囲内の任意の角度で形成される湾曲した表示画面を安定形成して接続できる。
【００５３】
なお、図１１に示した状態で、左右の表示ユニット１，１が接続され、中心Ｐを中心にして凸状の湾曲画面を形成したとき、表示面の左右後部に位置する支持パネル１４や筐体１３の側面壁は互いに接近する開き角度となるので、支持パネル１４や筐体１３の側面壁は、予めテーパあるいは段差を設けて、左右の表示画面間のなす角度は１８０度より広いφ２の開き角度で凸状に湾曲した画面の形成に支障とならない構造に形成されている。
【００５４】
なお、この実施例における接続具６では、軸部材６３を、個別に移動可能な２本の軸ピン６３１，６３２で構成したが、軸部材６３は、要するに第１のこま６１と第２のこま６２とが半径Ｒの円周に沿い相対移動するように拘束できれば良いので、２本に限らず３本以上でも良く、さらには、軸部材６３は、半径Ｒの円周に沿って少なくとも幅ｄよりも長い長さを有すれば、円周に沿い湾曲する板部材で構成しても良い。
【００５５】
以上説明のように、この実施例による接続具６２によれば、横方向に配列される各表示ユニット１，１は直線状の１８０度を含む、φ１からφ２まで範囲の任意の開き角度位置で、しかも接続具６における中心Ｐを通る鉛直線が、左右の表示ユニット１，１で隣接する表示面の延長面の交差位置が略一致するように取り付けられるので、つなぎ目の目立たない良好な大型画面を形成することができる。
【００５６】
また、軸部材６３は、共通する貫通孔６１ａ．６２ａ内にあって、貫通孔半径Ｒの弧を描く円周のみに沿った相対移動を可能とするものであるから、それ以外の方向への相対移動を抑制するように機能する。従って、表示ユニット１，１に差し渡し接続された接続具６は、隣接する表示ユニット１，１が互いに前後に相対移動や左右方向へ相対移動は抑制され安定する。
【００５７】
以上の説明では、接続具６による左右の表示ユニット１，１間の接続構造について説明したが、次ぎに、連結具５による表示ユニット１，１の上下方向の連結構造を図１及び図２に加えて、図１２ないし図１４を参照して以下説明する。
【００５８】
表示ユニット１，１を上下方向に連結するために、筐体１３の上枠１３１には、連結具５を構成する連結ピン５１が植立され、この連結ピン５１を受けて上下表示ユニット１，１を着脱自在に連結する係止部が、相手側筐体１３の下枠１３２に組み込まれている。
【００５９】
図１２は連結具５の分解斜視図を示したもので、（下方の表示ユニット１の）上枠１３１に設けられた連結ピン５１は、中央部に、軸回りの溝５１ａによる径小部が形成されている。
【００６０】
一方、連結ピン５１と嵌脱自在に連結される（上方の相手側表示ユニット１の）係止部５２は、筐体１３の下枠１３２の内側に組み込まれ、連結ピン５１が挿入される位置の底板１３２には貫通孔１３２ａが形成されている。
【００６１】
係止部５２は、枠体５２１と、この枠体５２１内で水平方向にスライドするように、移動自在に組み込まれた係止片５２２とで構成され、枠体５２１の上蓋部には連結ピン５１を挿脱自在な貫通孔５２１ａが設けられている。
【００６２】
また、係止片５２２は、連結ピン５１に形成された溝５１ａに嵌まり込む板厚を有し、下方に広がるようにテーパ部を形成したやや径小の孔とこの径小の孔を含んで、矢印Ｘで示す移動方向に連なるように形成された径大の孔とからなる瓢箪状の係止孔５２２ａが形成されている。
【００６３】
すなわち、係止片５２２は、下枠１３２の貫通孔１３２ａを介して連結ピン５１が係止孔５２２ａの径小の孔内に挿入されたとき、移動しつつ連結ピン５１を径大な孔内に誘導して連結ピン５１を貫通させる。
【００６４】
また、係止片５２２の移動方向の後端面（図示、右手方向）には、図示のように、一対のピン５２２ｂがスライド方向に向けて突出して設けられ、このピン５２２ｂはばね部材であるコイルばね５２２ｃの中を遊挿するように取り付けられている。
【００６５】
また、係止片５２２のピン５２２ｂは、コイルばね５２２ｃを枠体５２１の中に位置させた状態で、枠体５２１の後端面に取り付けられる止め板５２３の貫通孔５２３ａ内を遊挿可能に取り付けられる。
【００６６】
枠体５２１の前端面（図示、左手方向）には、カム５２４が、その軸５２４ａを介して支持ブロック５２４ｂに回動自在に取り付けられ、このカム５２４は係止片５２２の前方に突き出た突出部５２２ｄと接触し、回転するカム５２４の原節に対し、係止片５２２が従節として作用するように構成されている。なお、軸５２４ａの一端部は、図示しないが表示ユニット１の背面側に露出していて、作業員が、その露出した軸５２４ａの端部に形成されたスリット５２４ａａに、図２に示した下枠１３２の操作孔１３２ｂから、マイナスドライバ７を嵌め込み操作することでカム５２４を回動させることができる。
【００６７】
なお、図１２において、枠体５２１はボルト５２１ｂ及びナット５２１ｃにより下枠１３２に取り付け固定され、支持ブロック５２４ｂはねじ５２４ｃにより、また止め板５２３はねじ５２３ｂによりそれぞれ枠体５２１に取り付け固定される。
【００６８】
なお、この実施例では、鋭角化された連結ピン５１の頭部形状と、この連結ピン５１を受け入れる係止片５２２のテーパ部形状との関係は、図１３の要部側面図に示したように、連結ピン５１の鉛直軸から傾斜させたテーパ角度θを約２７度に、係止片５２２の同じくテーパ部における角度αを約３０度になるように形成されている。この結果、連結ピン５１を、コイルばね５２２ｃに抗しつつ、係止片５２２の係止孔５２２ａ内に円滑に挿入させることができる。
【００６９】
係止片５２２におけるテーパ部の角度αを約３０度とし、連結ピン５１のテーパ角度θを２７度より小さな角度（例えば２５度）とすると、それだけ挿入可能領域が狭まってしまうので挿入動作の安定性が失われ、また反対にテーパ角度θを２７度より大きく（例えば２９度）に広げると、挿入時に必要な滑りが得られず、安定した嵌合動作が得られない恐れがある。
【００７０】
いずれにしても、連結ピン５１が係止部５２に嵌り込んだ状態では、コイルばね５２２ｃに付勢された係止片５２２が前方に押し込まれるので、連結ピン５１の溝５１ａに係止片５２２の径小部分の係止孔５２２ａが嵌り込みロックされ、上下各表示ユニット１，１は連結され安定する。
【００７１】
図１４（ａ）は、連結ピン５１の溝５１ａに係止片５２２における径小部分の係止孔５２２ａが嵌り込んでロックされた状態を示した要部右側面図である。
【００７２】
作業員が、軸５２４ａを操作し、カム５２４を時計回り方向に９０度回動させると、カム５２４は、コイルばね５２２ｃに抗しつつ係止片５２２を後方（図示右方向）にスライドさせるので、連結ピン５１は、係止孔５２２ａ内の径大部分に移動する。
【００７３】
その結果、連結ピン５１は係止孔５２２ａから引き抜き可能となり、下表示ユニット１を相手側の上表示ユニット１から離脱させることができる。
【００７４】
図１４（ｂ）は、カム５２４の９０度回動により、連結ピン５１が係止孔５２２ａの径大部分に位置し、下表示ユニット１を上表示ユニット１から離脱させることができる状態を示した要部右側面図である。
【００７５】
図１２にも示したように、突出部５２２ｄの先端端面に、回動したカム５２４の突端部が嵌り得るようにＲ状の（丸みを有する）凹部を設けたので、図１４（ｂ）に示したカム５２４の回動動作に伴う、カム５２４による係止片５２２の押し込み操作では、カム５２４の突端が、コイルばね５２２ｃに抗しつつ凹部に嵌り込み安定する。
【００７６】
従って、作業員は、連結ピン５１の係止部５２からの引き抜き操作を、安定した状態で容易に行うことができる。
【００７７】
上記構成により、表示ユニット１を上に積み重ねようとするときには、作業員がまず下方に据え付けられる表示ユニット１の位置決めを行った後、その上に連結する表示ユニット１を持ち上げ、上下（鉛直）方向の位置合わせを行いつつ、下表示ユニット１上に重ね合わせだけで、連結ピン５１の溝５１ａに係止片５２２が嵌り込み、自動的にロックされ連結される。
【００７８】
連結された上下表示ユニット１，１間を解除するときには、作業員は、例えばマイナスドライバ７でカム５２４を回動させ、コイルばね５２２ｃに抗しつつ係止片５２２を後方に移動させれば良い。
【００７９】
この操作により、連結ピン５１は係止孔５２２ａの径大な孔に位置してロック状態から解放されるので、上表示ユニット１の鉛直上方向への持ち上げにより、上下両表示ユニット１，１を容易に引き離すことができる。
【００８０】
上記説明のように、この第１の実施例に係る映像表示装置は、左右に隣接する表示ユニット１，１を接続具６で接続構成し、接続具６の半径Ｒの円周上に沿った第１及び第２のこま６１，６２との回動移動により、隣接する表示ユニット１，１を任意の開き角度で接続することができる。
【００８１】
従って、上記説明の第１の実施例に係る映像表示装置では、接続具６は半径Ｒの円周上に沿った第１及び第２のこま６１，６２との相対移動により、任意の開き角度で隣接する表示ユニット１，１を接続するものであるから、接続された表示ユニット１，１は、上述のように、半径Ｒの円周方向に交差する方向への相対移動を抑制することができるものであるが、半径Ｒの円周方向に交差する方向のみならず、半径Ｒの円周方向への相対移動を抑制して、左右に隣接する表示ユニット１，１間を任意の開き角度でより強固に接続するように構成することもできる。
【００８２】
すなわち、ロック機構を付加して、第１及び第２のこま６１，６２の位置決めされた角度位置状態で固定（ロック）することが可能な第２の実施例に係る映像表示装置を図１５ないし図１７を参照して以下説明する。
【００８３】
なお、本発明の第２の実施例に係る映像表示装置は、接続具６の構成を、第１及び第２のこま６１，６２を、半径Ｒの円周上の位置で位置決め固定（ロック）可能とした点において、上記第１の実施例と相違するのみで、他の構成は第１の実施例と同様であるので、特に第１の実施例と相違してロック機構を付加した接続具６の構成及び作用を主に説明し、共通する他の構成については同一構成に同一符号を付して、詳細な説明は省略する。
【００８４】
すなわち、図１５は、第２の実施例に係る映像表示装置の接続具６の分解斜視図である。
【００８５】
第２の実施例の映像表示装置の接続具６は、第１のコマ６１の一方の係合片６１２の外側縁に沿い、厚さの薄い板状の第１の鍔部６１４を外側に張り出すように一体に設け、この鍔部６１４には、貫通孔６１ａと同心円上を辿り、かつより長い貫通孔からなるスリット６１４ａが形成されている。
【００８６】
一方、第２のこま６２の係合片６２２の同じく外側縁に沿い、厚さの薄い板状の第２の鍔部６２３が外側に張り出すように一体に設けられ、この鍔部６２３には、上記貫通孔６１４ａに対応し得る位置に雌ねじを形成したねじ穴６２３ａが形成されている。
【００８７】
そして、この接続具６には、図示のように貫通孔６１４ａを貫通してねじ穴６２３に螺合可能な止め螺子６５が付加構成され、その止め螺子６５は、径大な頭部の外周面にいわゆるローレット加工が施されるとともに、段部を有して、貫通孔６１４ａを貫通してねじ穴６２３へのねじ込みによって、任意の半径Ｒの円周に沿った任意の角度位置で第１のこま６１と第２のこま６２とを締め付け固定することができる。なお、作業員は止め螺子６５のローレット加工により、より効率的に締め付け作業を行うことができる。
【００８８】
図１６（ａ）は、第１の実施例で示した図９に対応した接続具６の取り付け状態を示した平面図、図１６（ｂ）は、図１６（ａ）に示した接続具６の正面図（映像表示装置に対しては裏面図）、また図１７は、第１の実施例の図１１に対応した接続具６の取り付け状態に対応した平面図である。
【００８９】
図１６に示したように、止め螺子６５が第１のこま６１の貫通孔６１４ａを介して挿入され、止め螺子６５の第２のこま６２のねじ穴６２３へのねじ込み、及び締め付けにより、第１のこま６１と第２のこま６２とが、半径Ｒの円周方向へ回動するように相対移動するのを防ぐことができる。
【００９０】
なお、図１５及び図１６に示したように、止め螺子６５による締め付け固定では、スプリングワッシャ６５ａを介して、第１の鍔部６１４を第２の鍔部６２３に押しつけ固定しているので、止め螺子６５が緩むのを防止できる。
【００９１】
また、図１７は、図１１に示した第１の実施例の図９に対応した接続具６の取り付け状態に対応した平面図であるが、図示のように、第１の鍔部６１４に形成されたスリット６１４ａは第１の貫通孔６１ａよりも弧状に長く形成されているので、第２のこま６２の係合片６２２の先端部が第１のこま６１の係合片６１２の貫通孔６１ａを通り過ぎた位置でも、第１のこま６１と第２のこま６２との間を適正に螺子止め固定することができる。
【００９２】
このように、第２の実施例の映像表示装置によれば、ロック機構を構成して、止め螺子６５を第１のこま６１のスリット６１４ａを介して第２のこま６２のねじ穴６２３ａにねじ込み固定できるので、表示ユニット１，１の半径Ｒの円周方向に交差する方向への接続安定化に加えて、半径Ｒの円周方向に沿った相対移動をも阻止して、左右方向に強固に接続することができる。
【００９３】
なお、第２の実施例に係る接続具６は、左右に接続される表示ユニット１，１間に差し渡すように取り付けるものとして説明したが、止め螺子６５により接続される表示ユニット１，１間で任意の開き角度を有した状態で安定させることができるので、たとえば上下方向に連結される表示ユニット１，１を前後方向に傾斜して連結させて構成するのに採用し、安定連結させることもできる。
【００９４】
いずれにしても、上記第１及び第２の実施例の映像表示装置によれば、複数台の表示ユニットを少なくとも左右方向に連結して表示画面を形成するのに、第１及び第２のこまが半径Ｒの円周に沿い相対的に回動可能な接続具の構成により、左右に接続される表示ユニットが、半径Ｒの円周方向に交差するたとえば前後あるいは左右方向へずれるのが抑制されて安定するとともに、半径Ｒの中心を通る鉛直線を左右に隣接する表示面の延長面の交差位置に略一致させることができるので、画面のつなぎ目の目立たない良好な画面を任意に湾曲させて映像効果の優れた大型映像画面を形成することができる。
【図面の簡単な説明】
【００９５】
【図１】本発明による映像表示装置の第１の実施例を示した要部分解斜視図である。
【図２】図１に示した映像表示装置の要部を背面側から見た斜視図である。
【図３】図１に示した接続具の斜視図である。
【図４】図３に示した接続具の分解斜視図である。
【図５】図３に示した接続具の要部分解平面図である。
【図６】図５に示した接続具の第１の動作説明図である。
【図７】図５に示した接続具の第２の動作説明図である。
【図８】図５に示した接続具の第３の動作説明図である。
【図９】図７に示した接続具の動作に対応した映像表示装置の要部平面図である。
【図１０】図６に示した接続具の動作に対応した映像表示装置の要部平面図である。
【図１１】図８に示した接続具の動作に対応した映像表示装置の要部平面図である。
【図１２】図１及び図２に示した連結具の分解斜視図である。
【図１３】図１２に示した連結具の動作を説明した正面図である。
【図１４】図１４（ａ）は、図１２に示した連結具において連結ピンが嵌め込まれた状態を示した正面図、図１４（ｂ）は、図１２に示した連結具において連結ピンを抜き出し可能な状態を示した正面図である。
【図１５】本発明による映像表示装置の第２の実施例を説明する接続具の分解斜視図である。
【図１６】図１６（ａ）は、図１５に示した接続具の一接続動作における映像表示装置の要部平面図、図１６（ｂ）は、図１６（ａ）に示した接続具の正面図である。
【図１７】図１５に示した接続具の他の接続動作における映像表示装置の要部平面図である。
【図１８】従来の映像表示装置を構成した表示ユニットの斜視図である。
【図１９】図１８に示した表示ユニットを背面側から見た斜視図である。
【図２０】図２０（ａ）は図１８に示した表示ユニットにより連結構成されてなる映像表示装置の正面図、図２０（ｂ）は図２０（ａ）に示した映像表示装置の平面図である。
【図２１】角度を有して左右の表示ユニットを隣接配置させた映像表示装置の外観図である。
【符号の説明】
【００９６】
１  表示ユニット
１１  表示パネル
１１ａ  表示素子（ＬＥＤ）
１２  筐体
１２１  連結ピン
１２２  ガイドピン
１３  筐体
１３１  上枠
１３２  下枠
１３３  側枠
１４  支持パネル
１５  カバー
３  接続具
３１  フック部
３２  係止部
５  連結具
５１  連結ピン
６  接続具
６１  第１のこま
６１ａ  貫通孔
６１１  取付板
６１２，６１３  係合片
６１４  第１の鍔部（ロック機構）
６１４ａ  スリット
６２  第２のこま
６２ａ  貫通孔
６２１  取付板
６２２  係合片
６２３  第２の鍔部（ロック機構）
６２３ａ  ねじ穴
６３  軸部材
６３１，６３２  軸ピン
６４  ボルト
６５  止め螺子（ロック機構）
【図１】
2006106046.tif 000003
【図２】
2006106046.tif 000004
【図３】
2006106046.tif 000005
【図４】
2006106046.tif 000006
【図５】
2006106046.tif 000007
【図６】
2006106046.tif 000008
【図７】
2006106046.tif 000009
【図８】
2006106046.tif 000010
【図９】
2006106046.tif 000011
【図１０】
2006106046.tif 000012
【図１１】
2006106046.tif 000013
【図１２】
2006106046.tif 000014
【図１３】
2006106046.tif 000015
【図１４】
2006106046.tif 000016
【図１５】
2006106046.tif 000017
【図１６】
2006106046.tif 000018
【図１７】
2006106046.tif 000019
【図１８】
2006106046.tif 000020
【図１９】
2006106046.tif 000021
【図２０】
2006106046.tif 000022
【図２１】
2006106046.tif 000023